(57)【要約】    【課題】  利用者が煩わしい入力操作を行わずとも、経路案内サービスを受けることを可能にする。    【解決手段】  非接触で情報の記録再生が可能な非接触式情報記録媒体１０と、時間的に変化する第２の所定情報を常時更新して保持するサーバ４０と、画像表示手段を含む表示部６０とからなる経路案内システムにおいて、記録部３０が予め、非接触式情報記録媒体１０に対して第１の所定情報の記録を行う。そして、無線通信部５０が非接触式情報記録媒体１０から第１の所定情報を非接触で読み取り、表示部６０が、この読み取られた第１の所定情報と、サーバ４０に保持された第２の情報とから画像情報を作成して画像表示手段に表示する。【選択図】      図１
2006091763.tif 000002
【特許請求の範囲】
【請求項１】
情報記録媒体に対して所定の移動経路を経て到達する目的地に関する第１の所定情報の記録を行う記録手段と、
時間的に変化する前記所定の移動経路に関する第２の所定情報を保持する情報保持手段と、
前記情報記録媒体から前記第１の所定情報を読み取る読取手段と、
前記読取手段によって読み取られた前記第１の所定情報と、前記情報保持手段に保持された前記第２の情報とに基づいて現在位置から前記目的地へ到達するまでの前記所定の移動経路の少なくとも一部に関する案内情報を表示する表示手段と
を有することを特徴とする経路案内システム。
【請求項２】
前記記録手段は、前記情報記録媒体に対して前記第１の所定情報の記録を行うとともに、前記情報記録媒体が埋め込まれた印刷媒体に対して前記目的地に関する情報の印字処理を行うことを特徴とする請求項１記載の経路案内システム。
【請求項３】
情報記録媒体に対して所定の移動経路を経て到達する目的地に関する第１の所定情報の記録を行う記録ステップと、
時間的に変化する前記所定の移動経路に関する第２の所定情報を情報保持手段に保持させる保持ステップと、
前記情報記録媒体から前記第１の所定情報を読み取る読取ステップと、
前記読取ステップによって読み取られた前記第１の所定情報と、前記情報保持手段に保持された前記第２の情報とに基づいて現在位置から前記目的地へ到達するまでの前記所定の移動経路の少なくとも一部に関する案内情報を表示する表示ステップと
を有することを特徴とする経路案内方法。
【請求項４】
前記記録ステップは、前記情報記録媒体に対して前記第１の所定情報の記録を行うとともに、前記情報記録媒体が埋め込まれた印刷媒体に対して前記目的地に関する情報の印字処理を行うことを特徴とする請求項３記載の経路案内方法。
【発明の詳細な説明】
【技術分野】
【０００１】
本発明は、経路案内システム及び経路案内方法に関する。
【背景技術】
【０００２】
従来、旅客を交通機関の施設内で経路案内するための案内システムとして、特許文献１に示されるような空港利用客案内システムが提案されている。この案内システムでは、例えば利用者が出発便に搭乗する場合で、まだチェックインが済んでいない場合は、端末装置のある現在地から当該便のチェックイン・カウンタまでの経路と所要時間、及びチェックイン・カウンタから搭乗ゲートまでの経路と所要時間を利用者に通知する。
【０００３】
この従来の案内システムによって、下記のような効果が得られる。
【０００４】
（１）出発客が便名を端末装置に入力するだけで、端末装置が、その便の最新の出発予定時刻、及びチェックイン・カウンタあるいは搭乗ゲートまでの経路と所要時間を表示し、これによって、空港に不案内の利用客であっても迷わずに安心して航空機に搭乗できるだけでなく、搭乗までの時間を食事や必要な買い物等の用事に計画的に利用できるなど、時間を有効に使うことが可能になる。
【０００５】
（２）到着客が、利用する交通機関と目的地を端末装置に入力するだけで、端末装置が、その交通機関の乗り場までの所要時間と経路、及び時刻表のあるものについては時刻表を表示し、これによって、はじめてその空港を訪れた利用客であっても迷わずに安心して空港からの交通機関を利用することができる。
【０００６】
（３）出迎え客が便名を端末装置に入力するだけで、端末装置が、その便の最新の到着予定時刻、当該便の乗客が出てくる到着ロビーまでの経路と所要時間、及び到着客がそのロビーに出てくる予測時刻を表示し、これによって、空港に不案内の利用客であっても迷わずに安心して出迎えができるだけでなく、出迎えまでの時間を計画的に有効に利用できる。
【特許文献１】特開２０００−３５９９７号公報
【発明の開示】
【発明が解決しようとする課題】
【０００７】
しかしながら、上記従来の案内システムは、利用者が能動的に行動しなければ、欲しい情報を得ることができなかった。すなわち、利用者が便名や利用交通機関や目的地を端末装置に入力操作しなければならなかった。
【０００８】
本発明はこのような問題点に鑑みてなされたものであって、利用者が煩わしい入力操作を行わずとも、経路案内サービスを受けることができる経路案内システム及び経路案内方法を提供することを目的とする。
【課題を解決するための手段】
【０００９】
上記目的を達成するために、請求項１記載の発明によれば、情報記録媒体に対して所定の移動経路を経て到達する目的地に関する第１の所定情報の記録を行う記録手段と、時間的に変化する前記所定の移動経路に関する第２の所定情報を保持する情報保持手段と、前記情報記録媒体から前記第１の所定情報を読み取る読取手段と、前記読取手段によって読み取られた前記第１の所定情報と、前記情報保持手段に保持された前記第２の情報とに基づいて現在位置から前記目的地へ到達するまでの前記所定の移動経路の少なくとも一部に関する案内情報を表示する表示手段とを有することを特徴とする経路案内システムが提供される。
【００１０】
また、請求項３記載の発明によれば、情報記録媒体に対して所定の移動経路を経て到達する目的地に関する第１の所定情報の記録を行う記録ステップと、時間的に変化する前記所定の移動経路に関する第２の所定情報を情報保持手段に保持させる保持ステップと、前記情報記録媒体から前記第１の所定情報を読み取る読取ステップと、前記読取ステップによって読み取られた前記第１の所定情報と、前記情報保持手段に保持された前記第２の情報とに基づいて現在位置から前記目的地へ到達するまでの前記所定の移動経路の少なくとも一部に関する案内情報を表示する表示ステップとを有することを特徴とする経路案内方法が提供される。
【発明の効果】
【００１１】
本発明によれば、利用者が煩わしい入力操作を行わずとも、現在位置から目的地へ到達するまでの所定の移動経路の少なくとも一部に関する案内情報を表示する経路案内システム及び経路案内方法を提供することができる。
【発明を実施するための最良の形態】
【００１２】
以下、本発明を実施するための最良の形態について、図面を参照して説明する。
【００１３】
図１は、本発明の一実施の形態に係る経路案内システムの基本構成を示すブロック図である。
【００１４】
本経路案内システムは、チケットなどの印刷媒体２０と、発券機などの記録部３０と、交通機関の運行時刻情報を保持するサーバ４０と、経路情報を表示する表示部６０とから構成される。
【００１５】
印刷媒体２０には非接触式情報記録媒体１０が埋め込まれており、非接触式情報記録媒体１０は、非接触で情報の記録再生が可能なＩＤタグ（ＩＣタグ、ＲＦＩＤタグとも呼ばれる）である。記録部３０は、印刷媒体２０に対して印字処理を行うとともに、非接触式情報記録媒体１０に対してデータ（例えば印刷媒体２０が乗車券である場合には、出発駅、出発駅から乗車可能な範囲、目的駅、乗換駅などを示すデータ）の記録を行う。表示部６０は、非接触式情報記録媒体１０との間で無線通信を行う無線通信部５０を有し、また表示部６０は、ネットワークを介してサーバ４０に接続される。そして表示部６０は、無線通信部５０を介して非接触式情報記録媒体１０から得られたデータと、サーバ４０から得られた交通機関の運行時刻情報とから適切な経路案内情報を獲得し、これを表示する。サーバ４０では、時々刻々と変化する交通機関の運行時刻情報をリアルタイムで更新している。
【００１６】
図２は、図１に示す非接触式情報記録媒体１０の内部構成を示すブロック図である。
【００１７】
非接触式情報記録媒体１０は、アンテナ１１と、電源生成回路１２と、変復調回路１３と、制御回路１４と、メモリ１５とを主要な構成要素としている。電源生成回路１２は、アンテナ１１で受信した電力伝送波から動作に必要な電力を取り出し、非接触式情報記録媒体１０内部の各回路に電力供給を行っている。この電力伝送波は、電力を供給する目的で伝送される信号波であり、データで変調されている場合もある。
【００１８】
図３は、図１に示す印刷媒体２０の基本構成を示す外観図である。
【００１９】
印刷媒体２０は印刷用紙２１で構成され、該印刷用紙２１には、例えば乗車駅「渋谷」と乗車駅からの下車可能な区間の料金とが印刷されるとともに、非接触式情報記録媒体１０が埋め込まれている。
【００２０】
図４は、図１に示す記録部３０の内部構成を示すブロック図である。
【００２１】
記録部３０は、ＣＰＵ３１と、メモリ３２と、画像形成部３３と、印刷部３４と、外部Ｉ／Ｏ３５と、システムバス３６と、無線通信部５０とを主要な構成要素としている。ＣＰＵ３１は、記録部３０を包括的に制御している。メモリ３２は、ＣＰＵ３１で実行されるべきプログラムを格納すると共に、ＣＰＵ３１用のワークメモリとして使用される。画像形成部３３は、印刷媒体２０に印刷すべき画像を形成する。印刷部３４は、画像形成部３３によって形成された印刷画像を実際に印刷用紙２１に印刷する。外部Ｉ／Ｏ３５は、記録部３０への信号の入力や記録部３０からの信号の出力を制御し、例えば切符の券売機における表示制御や、入出金制御などを行う。無線通信部５０は、非接触式情報記録媒体１０との通信を行うリーダライタであり、表示部６０に内蔵される無線通信部５０と同様の構成となっている。
【００２２】
図５は、図１に示す無線通信部５０の内部構成を示すブロック図である。
【００２３】
無線通信部５０は、送信アンテナ５１と、電力ドライバ５２と、変調回路５３と、制御回路５４と、メモリ５５と、受信アンテナ５６と、受信波増幅回路５７と、復調回路５８とを主要な構成要素としている。
【００２４】
次に、無線通信部５０と非接触式情報記録媒体１０との間で行われるデータ通信動作を、図６を参照して説明する。
【００２５】
図６（Ａ）は、無線通信部５０の動作手順を示すフローチャートであり、図６（Ｂ）は、非接触式情報記録媒体１０の動作手順を示すフローチャートである。なお図６では、最初に行われる認証過程、つまり、無線通信部５０が非接触式情報記録媒体１０を正規の通信相手であるか否か認証する過程は省略している。以下においては、図６（Ａ），（Ｂ）の両フローチャートを適宜参照しながら説明する。
【００２６】
まず図６（Ａ）のステップＳ１２において、無線通信部５０が、コマンド（リード、ライトなど）を乗せて変調された電力伝送波を、送信アンテナ５１から送信する。
【００２７】
この電力伝送波を受信した非接触式情報記録媒体１０では、図６（Ｂ）のステップＳ２２において、電源生成回路１２で動作電力が生成されたか否かを判別し、動作電力が得られれば（ステップＳ２２でＹＥＳ）、電力伝送波を変復調回路１３で復調してコマンドを抽出し、制御回路１４でコマンド解析を実行する（ステップＳ２３）。
【００２８】
このコマンド解析の結果、送信されたコマンドがリードコマンドである場合、制御回路１４が、メモリ１５に記憶された指定アドレスのデータを読み出し（ステップＳ２４）、この読み出されたデータを変復調回路１３が変調してアンテナ１１から送信して（ステップＳ２６）、終了する。また、送信されたコマンドがライトコマンドである場合は、制御回路１４が、メモリ１５の指定アドレスにデータを書き込み（ステップＳ２５）、書き込み後のステータスを変復調回路１３で変調してアンテナ１１から送信して（ステップＳ２６）、終了する。送信されたコマンドが、リードコマンドやライトコマンド以外のコマンドである場合もあり得るが、ここではそれについての説明は省略する。
【００２９】
図６（Ａ）のステップＳ１３では、無線通信部５０が、非接触式情報記録媒体１０からの応答データが受信アンテナ５６で受信されたか否かを判定し、受信されなければ（ステップＳ１３でＮＯ）、ステップＳ１２へ戻る。受信されれば（ステップＳ１３でＹＥＳ）、その受信データを受信波増幅回路５７で増幅し、復調回路５８で復調した後、メモリ５５に転送するなどして、ここに、非接触式情報記録媒体１０からのデータを得て（ステップＳ１４）、終了する。
【００３０】
図７は、図１に示す表示部６０の内部構成を示すブロック図である。
【００３１】
表示部６０は、ＣＰＵ６１と、メモリ６２と、画像形成部６３と、表示ドライバ６４と、画像表示部６５と、外部Ｉ／Ｏ６６と、無線通信部５０とを主要な構成要素としている。ＣＰＵ６１は表示部６０を包括的に制御する。メモリ６２は、ＣＰＵ６１で実行されるべきプログラムを格納すると共に、ＣＰＵ６１用のワークメモリとして使用される。画像形成部６３は、画像表示部６５に表示すべき画像を形成する。表示ドライバ６４は、画像形成部６３によって形成された表示画像を実際に画像表示部６５に表示させるためのものである。外部Ｉ／Ｏ６６はネットワークと接続され、サーバ４０との間で情報をやり取りする。
【００３２】
次に、図１に示す経路案内システムを鉄道交通機関に導入した場合を例にとって説明する。この例では、印刷媒体２０は乗車券（切符）であり、記録部３０は券売機で、表示部６０は駅構内やホームに設置された案内装置とする。
【００３３】
図８は、経路案内システムを鉄道交通機関に導入した場合における記録部３０の内部構成を示すブロック図である。なお図８において、図４に示す記録部３０の内部構成と同一部分には同一の参照番号を付している。
【００３４】
図８において、印刷部３４は、印刷媒体支持部８５と、給紙ユニット８６と、給紙ローラ８７と、給送ローラ８８と、印字ヘッド８９とを主要な構成要素としている。また、外部Ｉ／Ｏ３５は、乗車券購入ボタン８１と、硬貨投入口８２と、紙幣投入口８３と、乗車券・釣銭排出口８４とを主要な構成要素としている。
【００３５】
記録部３０の動作について、図９を参照して説明する。
【００３６】
図９は、記録部３０の動作手順を示すフローチャートである。
【００３７】
まずステップＳ３２において、乗車券購入ボタン８１が押下されたか否かを判定し、押下されていなければ（ステップＳ３２でＮＯ）ステップＳ３３へ進み、押下されていれば（ステップＳ３２でＹＥＳ）ステップＳ３５及びステップＳ３７へ進む。ステップＳ３５及びステップＳ３７は同時に並行して実行される。
【００３８】
ステップＳ３３では、硬貨投入口８２または紙幣投入口８３から金銭が投入されたか否かを判定し、投入されていなければ（ステップＳ３３でＮＯ）ステップＳ３２に戻る。投入されていれば（ステップＳ３３でＹＥＳ）、投入金額の計算をし（ステップＳ３４）、ステップＳ３２に戻る。
【００３９】
ステップＳ３５では釣銭の計算をし、つぎのステップＳ３６で、乗車券・釣銭排出口８４から釣銭を排出する。
【００４０】
ステップＳ３７では、乗車券に印字すべき画像を画像形成部３３で形成し、印刷媒体２０を給紙ユニット８６から給紙ローラ８７、給送ローラ８８を介して印字ヘッド８９に搬送し、印字ヘッド８９によって、画像形成部３３で形成された画像を印字する（ステップＳ３８）。この印字された印刷媒体２０は印刷媒体支持部８５によって固定され、乗車券に関する情報（出発駅、出発駅から乗車可能な範囲、目的駅、乗換駅など）を、無線通信部５０を用いて印刷媒体２０上の非接触式情報記録媒体１０に書き込み（ステップＳ３９）、この印刷媒体２０を乗車券・釣銭排出口８４から排出して（ステップＳ４０）、終了する。
【００４１】
図１０は、経路案内システムを鉄道交通機関に導入した場合における表示部６０の内部構成を示すブロック図である。なお図１０において、図７に示す表示部６０の内部構成と同一部分には同一の参照番号を付している。
【００４２】
この表示部６０は駅構内やホームに設置される。図１０に示す画像表示部６５には、現在地から乗車すべき車両の位置（目的地）までの経路を案内する表示画面例を示す。
【００４３】
図１１は、表示部６０の動作手順を示すフローチャートである。
【００４４】
まずステップＳ５２において、近くに通信可能な非接触式情報記録媒体１０が存在するか否かを判定し、存在するならば（ステップＳ５２でＹＥＳ）、無線通信部５０が、非接触式記憶媒体１０に格納されているデータを読み取る（ステップＳ５３）。次に読み取ったデータをＣＰＵ６１が解析し（ステップＳ５４）、ネットワークに接続されたサーバ４０から、外部Ｉ／Ｏ６６が、必要な運行時刻情報などを取得する（ステップＳ５５）。この取得した運行時刻情報やデータ解析結果に基づき、画像形成部６３が、画像表示部６５に表示すべき画像データを形成し（ステップＳ５６）、表示ドライバ６４を介して画像表示部６５に送り、画像表示部６５が経路案内画像を表示して（ステップＳ５７）、終了する。
【００４５】
以上のように、本実施の形態における経路案内システムを鉄道交通機関に導入した場合には、例えば乗車券の購入者が電車を乗り換えるときに、駅構内やホームに設置された表示部６０に近づくと、表示部６０が、乗車券（印刷媒体２０）に記録された情報とサーバ４０の情報とを参照して、乗り換え案内を自動的に表示するので、乗車券の購入者は、表示部６０に対して煩わしい入力操作をすることなく、経路案内サービスを受けることができる。
【００４６】
なお、本発明は上記実施の形態に限定されるものではなく、その要旨を逸脱しない範囲で種々変形して実施することができる。例えば本実施の形態では、表示部が駅構内やホームに設置されているとしたが、無線通信部を有したＰＤＡ（Personal Digital Assistants）や携帯電話などに経路案内情報を表示させるようにしてもよい。
【００４７】
〔他の実施の形態〕
なお、本発明の目的は、前述した実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００４８】
この場合、記憶媒体から読み出されたプログラムコード自体が本発明の新規な機能を実現することになり、そのプログラムコードを記憶した記憶媒体およびプログラムは本発明を構成することになる。
【００４９】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００５０】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００５２】
【図１】本発明の一実施の形態に係る経路案内システムの基本構成を示すブロック図である。
【図２】図１に示す非接触式情報記録媒体の内部構成を示すブロック図である。
【図３】図１に示す印刷媒体の基本構成を示す外観図である。
【図４】図１に示す記録部の内部構成を示すブロック図である。
【図５】図１に示す無線通信部の内部構成を示すブロック図である。
【図６】無線通信部と非接触式情報記録媒体との間で行われるデータ通信動作を示し、（Ａ）は、無線通信部の動作手順を示すフローチャートであり、（Ｂ）は、非接触式情報記録媒体の動作手順を示すフローチャートである。
【図７】図１に示す表示部の内部構成を示すブロック図である。
【図８】経路案内システムを鉄道交通機関に導入した場合における記録部の内部構成を示すブロック図である。
【図９】記録部の動作手順を示すフローチャートである。
【図１０】経路案内システムを鉄道交通機関に導入した場合における表示部の内部構成を示すブロック図である。
【図１１】表示部の動作手順を示すフローチャートである。
【符号の説明】
【００５３】
１０  非接触式情報記録媒体
２０  印刷媒体
３０  記録部
４０  サーバ
５０  無線通信部
６０  表示部
【図１】
2006091763.tif 000003
【図２】
2006091763.tif 000004
【図３】
2006091763.tif 000005
【図４】
2006091763.tif 000006
【図５】
2006091763.tif 000007
【図６】
2006091763.tif 000008
【図７】
2006091763.tif 000009
【図８】
2006091763.tif 000010
【図９】
2006091763.tif 000011
【図１０】
2006091763.tif 000012
【図１１】
2006091763.tif 000013